(57)【要約】【課題】この発明は、主として下向のパイプに節水弁を堅固に取付け、騒音の発生とか、電蝕をなくすることを目的としたものである。【解決手段】この発明は、弁体の外側に、パイプの端へ弁体を固定する為の弾性筒を嵌装固定したことを特徴とする節水弁により目的を達成した。【選択図】      図１
2004316310.tif 000002
【特許請求の範囲】
【請求項１】
弁体の外側に、パイプの端へ弁体を固定する為の弾性筒を嵌装固定したことを特徴とする節水弁。
【請求項２】
弁体の外側に、パイプ端へ弁体を固定する為の弾性筒を嵌装固定し、前記弁体の鍔と前記弾性筒端との間へパイプの内径より大きい外径のワッシャを介装したことを特徴とする節水弁。
【請求項３】
弾性筒の外壁に軸方向の突条を設けたことを特徴とする請求項１又は２記載の節水弁。
【請求項４】
パイプ端へ、請求項１又は２記載の節水弁を嵌挿固定したことを特徴とする節水弁の取付装置。
【請求項５】
パイプ端へ、請求項１又は２記載の節水弁を嵌挿し、前記パイプ端をバルブの吐出筒に挿入し、パイプ端と、吐出筒の間にパッキングを介して袋ナットで締め付け、パイプを固定したことを特徴とする節水弁取付装置。
【発明の詳細な説明】
【０００１】
【発明の属する技術分野】
この発明は、バルブの吐出筒と、放水パイプとの間に節水弁を介装固定することを目的とした節水弁及びその取付装置に関する。
【０００２】
【従来の技術】
従来パイプの端面へ節水弁を固定するには、節水弁の外側と、パイプ端内側との間へ金属スプリングを介装し、スプリングの弾力によって節水弁を固定する構造が知られていた。
【０００３】
【発明により解決しようとする課題】
前記スプリングによれば、水圧変動その他において騒音を発生し、異金属（スプリングとパイプ端）の接触により電蝕を生じるなどの問題点があった。
【０００４】
また、パイプの外径が異なる毎に、これに対応する節水弁及びスプリングを必要とする問題点もあった。
【０００５】
【課題を解決するための手段】
この発明は、弁体の外壁とパイプ内壁との間に弾性筒を介装することにより、前記従来の問題点を解決したのである。
【０００６】
また、パイプの寸法が異なる場合であっても、弾性筒によって節水弁を容易確実に嵌挿固定することができる。
【０００７】
即ちこの発明は、弁体の外側に、パイプの端へ弁体を固定する為の弾性筒を嵌装固定したことを特徴とする節水弁である。また、弁体の外側に、パイプ端へ弁体を固定する為の弾性筒を嵌装固定し、前記弁体の鍔と前記弾性筒端との間へパイプの内径より大きい外径のワッシャを介装したことを特徴とする節水弁であるり、弾性筒の外壁に軸方向の突条を設けたことを特徴とするものである。
【０００８】
また他の発明は、パイプ端へ、請求項１又は２記載の節水弁を嵌挿固定したことを特徴とする節水弁の取付装置であり、パイプ端へ、請求項１又は２記載の節水弁を嵌挿し、前記パイプ端をバルブの吐出筒に挿入し、パイプ端と、吐出筒の間にパッキングを介して袋ナットで締め付け、パイプを固定したことを特徴とする節水弁取付装置である。
【０００９】
前記において、弾性筒の材質は、シリコンゴムその他強靱で適度の弾性を有するゴム又は合成樹脂を用いる。
【００１０】
また、弁体は、ステンレス製その他耐蝕性及び耐摩耗性の大きい金属が好ましい。
【００１１】
前記弾性筒は、外壁に突条を設けることにより、着脱自在で、弾性限が大きく確実に固定できる。
【００１２】
前記発明の弾性筒を用いれば、弁体の内部構造に関係なく取り付けることができるので、弁体の外側が筒状であれば、総ての弁体に用いることができる。
【００１３】
【発明の実施の形態】
この発明は、節水弁の弁体の外側に、パイプ端内側へ弁体を固定する為の弾性筒を嵌装固定した節水弁である。また、該節水弁の弾性筒の鍔と、弁体の鍔との間へ、前記パイプの内径より大きい外径のワッシャを介装した節水弁である。
【００１４】
この発明は、取付姿勢が下向きの状態のパイプに取り付ける節水弁に使用されることを基本とするが、これに限定されることはない。
【００１５】
この発明の節水弁は、パイプ端内側へ嵌挿した状態で強力に固定されるので、そのままの状態でも脱抜するおそれなく、作業性を良好にしている。
【００１６】
また、弾性筒を使用するので、弁体が弾力により確保され、弾性筒の老化（弾性消失）までは耐久性がある。
【００１７】
そこで、シリコンゴムなどの耐久性の高い材質を使用すれば、弁体の耐用期間は十分目的を達成することができる。
【００１８】
この発明の弾性筒は、各種性能、構造の弁体に使用することができる。また、弾性筒の内径を同一にし、外径を各種サイズのパイプに対応させることにより、同一弁体を、各種サイズのパイプに堅固に固定することができる。
【００１９】
従って、同一弁体と、外径の相違する弾性筒を用意しておれば、どの現場においても自由に節水工事をすることができる。
【００２０】
また、パイプの内径の変動は一定の範囲に収まるので（例えば、プラスマイナス５ｍｍ以内）、これに対応する弾性筒を準備すればよいことになる。弾性筒の外壁に数条の突条を設ければ、弾性変形限度が大きいので、実用上２種又は３種のサイズの異なる弾性筒を用意すれば、実用化されているあらゆるサイズのパイプに適応させることができる。
【００２１】
【実施例１】
この発明の実施例を図１、２、３、に基づいて説明する。弁体１の外側へシリコン性の弾性筒５を嵌装すると共に、前記弁体１の鍔２と、弾性筒５の鍔６の間へ金属ワッシャー８を介装して、この発明の節水弁１０を構成した。
【００２２】
前記弁体１は、ステンレス製であって、中央孔３を有し、先端部４は閉塞し、側壁には通水孔９、９が穿設してあり、かつ通水孔９、９の外口縁と小間隙を保って外筒１２を嵌装固定して構成してある。
【００２３】
前記弾性筒５の外壁には、軸方向に平行な突条７、７が等間隔に設けてある。前記突条７は、断面弧状である。
【００２４】
前記節水弁１０は、図３のように、放水パイプ１３の基部内側へ嵌挿し、バルブ１５の段部１６と係止してある。
【００２５】
前記放水パイプ１３の基部と、バルブ１５の吐水口１７の内壁との間に、環状パッキング１８を介装し、環状パッキング１８の外側へ金属製の押さえリング１９を介装し、袋ナット２１で締付固定してある。前記押さえリング１９の内縁突条２２は前記放水パイプ１３の環状溝２３と係止させ、前記押さえリング１９の外縁下面（図３）は、前記バルブの吐水口１７の端面２４と係止させてある。
【００２６】
従って、袋ナット２１を締め付け、環状パッキング１８を過度に変形させるおそれはない。
【００２７】
前記実施例において、放水パイプ１３の内径に比し、弁体１の外径は小さいが（例えば弁体１の鍔２の外径より、放水パイプ１３の内径が大きい）、節水弁１０を支障なく堅固に取り付けることができる。
【００２８】
【実施例２】
この発明の他の実施例を図４、５、６に基づいて説明する。図４に示す節水弁２０は、前記実施例１の節水弁１０かワッシャー８を除去したものに相当するので、同一部分は同一符号を付して説明する。
【００２９】
弁体１の外側へシリコン製の弾性筒５を嵌装してこの発明の節水弁２０を構成した。
【００３０】
前記弁体１は、ステンレス製であって、中央孔３を有し、先端部４は閉塞し、側壁には通水孔９、９が穿設してあり、かつ通水孔９、９の外口縁と小間隙を保って外筒１２を嵌装固定して構成してある。
【００３１】
前記弾性筒５の外壁には、軸方向に平行な突条７、７が等間隔に設けてある。前記突条７は、断面弧状である。
【００３２】
前記節水弁１０は、図３のように、放水パイプ１３の基部内側へ嵌挿し、バルブ１５の段部１６と係止してある。
【００３３】
前記放水パイプ１３の基部と、バルブ１５の吐水口１７の内壁との間に、環状パッキング１８を介装し、環状パッキング１８の外側へ金属製の押さえリング１９を介装し、袋ナット２１で締付固定してある。前記押さえリング１９の内縁突条２２は前記放水パイプ１３の環状溝２３と係止させ、前記押さえリング１９の外縁下面（図６）は、前記バルブの吐水口１７の端面２４と係止させてある。
【００３４】
従って、袋ナット２１を締め付け、環状パッキング１８を過度に変形させるおそれはない。
【００３５】
前記実施例において、放水パイプ１３の内径に比し、弁体１の外径は小さいが（例えば弁体１の鍔２の外径より、放水パイプ１３の内径が大きい）、節水弁１０を支障なく堅固に取り付けることができる。
【００３６】
【発明の効果】
この発明は、弁体にパイプとの取付を堅固にする弾性筒を嵌着して節水弁を完成したので、パイプ寸法の如何に関わらず、同一弁体を取り付けることができる効果がある。
【００３７】
また、弾性筒はゴム又は合成樹脂などであるから、通水時の振動（騒音）は皆無であり、異金属の接触による電蝕を生じるおそれもないなどの効果がある。
【図面の簡単な説明】
【図１】（ａ）この発明の実施例の正面図。
（ｂ）同じく平面図。
（ｃ）同じく断面図。
【図２】同じく取付時の展開説明図。
【図３】同じく取付装置の実施例の断面拡大図。
【図４】（ａ）同じく他の実施例の正面図。
（ｂ）同じく平面図。
（ｃ）同じく断面図。
【図５】同じく取付時の展開説明図。
【図６】同じく取付装置の実施例の断面拡大図。
【符号の説明】
１  弁体
２  鍔
３  中央孔
４  先端部
５  弾性筒
６  鍔
７  突条
８  ワッシャー
９  通水孔
１０、２０  節水弁
１２  外筒
１３  放水パイプ
１５  バルブ
２１  袋ナット
【図１】
2004316310.tif 000003
【図２】
2004316310.tif 000004
【図３】
2004316310.tif 000005
【図４】
2004316310.tif 000006
【図５】
2004316310.tif 000007
【図６】
2004316310.tif 000008